(57)【特許請求の範囲】
【請求項１】
制御データに従って機器の動作を制御し、制御装置電源の電源状態を示す制御電源信号として、前記制御装置電源がＯＮからＯＦＦに切り替わったときに制御停電信号を出力し、前記制御装置電源がＯＦＦからＯＮに切り替わったときに制御復電信号を出力する制御装置と、
前記機器の状態を監視し、監視装置電源の電源状態を示す監視電源信号として、前記監視装置電源がＯＮからＯＦＦに切り替わったときに監視停電信号を出力し、前記監視装置電源がＯＦＦからＯＮに切り替わったときに監視復電信号を出力する監視装置と、
前記制御装置の前記制御データを書き換える制御データ書き換え処理を前記制御装置に対して実行する制御データ書き換え装置と、
を備え、
前記制御装置および前記監視装置は、管理物件ごとに設けられ、
前記制御データ書き換え装置は、
記憶装置と、
前記制御装置から出力された前記制御電源信号と、前記監視装置から出力された前記監視電源信号とを取得し、取得した前記制御電源信号および前記監視電源信号のそれぞれを、前記制御電源信号および前記監視電源信号のそれぞれを取得した取得日時と関連付けて電源履歴データとして前記管理物件ごとに前記記憶装置に記憶する電源履歴データ生成部と、
前記管理物件ごとの前記電源履歴データに基づき、前記制御装置電源に対応する制御電源ＯＮ／ＯＦＦ履歴データと、前記監視装置電源に対応する監視電源ＯＮ／ＯＦＦ履歴データとを、前記管理物件ごとに生成する電源ＯＮ／ＯＦＦ履歴データ生成部と、
前記制御データ書き換え処理を実行する対象の前記制御装置が設けられた前記管理物件を対象管理物件として設定し、前記制御データ書き換え処理が実行される実行予定日時を設定する制御データ書き換え設定部と、
前記対象管理物件ごとの前記制御電源ＯＮ／ＯＦＦ履歴データおよび前記監視電源ＯＮ／ＯＦＦ履歴データに基づき、前記実行予定日時以降であり、かつ前記制御装置電源および前記監視装置電源がともにＯＮである特定日時帯に含まれる日時が、前記制御データ書き換え処理が実行される実行日時となるように、前記実行日時を前記対象管理物件ごとに重複させないように決定する制御データ書き換え日時決定部と、
前記対象管理物件ごとの前記実行日時に従って前記制御データ書き換え処理を実行する制御データ書き換え処理部と、
を有する制御データ書き換えシステム。
【請求項２】
前記制御データ書き換え日時決定部は、
前記特定日時帯に前記実行予定日時が含まれているときには、前記実行予定日時を前記実行日時とし、
前記特定日時帯に前記実行予定日時が含まれていないときには、前記実行予定日時よりも後であり、かつ前記特定日時帯に含まれる日時を前記実行日時とする
請求項１に記載の制御データ書き換えシステム。
【請求項３】
前記制御データ書き換え処理部は、
前記制御データ書き換え処理を実行する際、前記制御装置電源または前記監視装置電源がＯＦＦになっている前記対象管理物件の前記制御装置に対しては、前記制御データ書き換え処理を実行することを中止する
請求項１または２に記載の制御データ書き換えシステム。
【請求項４】
前記監視装置から前記機器の状態の監視結果を取得する監視センタ装置をさらに備え、
前記電源履歴データ生成部は、
前記制御装置から前記監視装置および前記監視センタ装置を介して前記制御電源信号を取得し、
前記監視装置から前記監視センタ装置を介して前記監視電源信号を取得する
請求項１から３のいずれか１項に記載の制御データ書き換えシステム。
【請求項５】
前記機器は、エレベータである
請求項１から４のいずれか１項に記載の制御データ書き換えシステム。
【発明の詳細な説明】
【技術分野】
【０００１】
本発明は、管理物件に対しての制御データの書き換えの効率化の実現を図った制御データ書き換えシステムに関するものである。
【背景技術】
【０００２】
従来において、エレベータの制御装置がエレベータの動作を制御するのに用いる制御パラメータ、制御プログラム等の書き換えを行う場合、専門の保守員が現場に行かなくても、プログラムの書き換えを遠隔で行うことができる（例えば、特許文献１、２参照）。具体的には、エレベータの状態を監視する遠隔監視装置を介して、遠隔監視センタ側とエレベータ側とを電話回線によって通信可能に接続し、遠隔監視センタ側からプログラムの書き換えが行われる。
【先行技術文献】
【特許文献】
【０００３】
【特許文献１】特許第５６９９４５１号公報
【特許文献２】特開２００８−２７３７３０号公報
【発明の概要】
【発明が解決しようとする課題】
【０００４】
ここで、エレベータ側の電源をＯＦＦにすることがある。電源をＯＦＦにする理由としては、例えば、次の理由が挙げられる。第１に、エレベータが設置される建物（例えば、駅、住宅展示場等）の用途に応じて、建物が使用されない夜間等の時間帯に電源をＯＦＦにする。第２に、建物が利用されない一定期間（例えば、盆、正月等）に行われる設備点検のため、電源をＯＦＦにする。第３に、大雨、雷等が原因で建物において停電が発生し、電源をＯＦＦにする。
【０００５】
このようにエレベータ側の電源がＯＦＦであるとき、新しいプログラムを送信することができないのでプログラムの書き換えを行うことができなかったり、新しいプログラムを送信できても、書き換え前に消失したりすることがある。
【０００６】
つまり、エレベータ側の電源がＯＦＦである時間帯に遠隔監視センタ側からプログラムの書き換えを行うことを試みても、その書き換えが失敗する。その結果として、無駄な電話料金が発生したり、複数の管理物件に対してのプログラムの書き換えを行う場合には他の管理物件に対してのプログラムの書き換えが遅れたりするので、プログラムの書き換えを効率良く行うことができないという問題がある。
【０００７】
また、特許文献１に記載の従来技術では、電話回線の使用の有無の時間帯を記録し、電話回線の使用時間帯を外して、外部からプログラムの書き換えが行われるように構成されている。しかしながら、このような構成では、エレベータ側の電源をＯＦＦにしている場合であっても、電話回線の使用時間帯でなければ、外部からのプログラムの書き換えの試みが行われ、その結果、その書き換えが失敗する可能性がある。このように、特許文献１に記載の従来技術は、プログラムの書き換えの効率性の観点から改善の余地がある。
【０００８】
本発明は、上記のような課題を解決するためになされたものであり、管理物件に対しての制御データの書き換えの効率化を実現する制御データ書き換えシステムを得ることを目的とする。
【課題を解決するための手段】
【０００９】
本発明における制御データ書き換えシステムは、制御データに従って機器の動作を制御し、制御装置電源の電源状態を示す制御電源信号として、制御装置電源がＯＮからＯＦＦに切り替わったときに制御停電信号を出力し、制御装置電源がＯＦＦからＯＮに切り替わったときに制御復電信号を出力する制御装置と、機器の状態を監視し、監視装置電源の電源状態を示す監視電源信号として、監視装置電源がＯＮからＯＦＦに切り替わったときに監視停電信号を出力し、監視装置電源がＯＦＦからＯＮに切り替わったときに監視復電信号を出力する監視装置と、制御装置の制御データを書き換える制御データ書き換え処理を制御装置に対して実行する制御データ書き換え装置と、を備え、制御装置および監視装置は、管理物件ごとに設けられ、制御データ書き換え装置は、記憶装置と、制御装置から出力された制御電源信号と、監視装置から出力された監視電源信号とを取得し、取得した制御電源信号および監視電源信号のそれぞれを、制御電源信号および監視電源信号のそれぞれを取得した取得日時と関連付けて電源履歴データとして管理物件ごとに記憶装置に記憶する電源履歴データ生成部と、管理物件ごとの電源履歴データに基づき、制御装置電源に対応する制御電源ＯＮ／ＯＦＦ履歴データと、監視装置電源に対応する監視電源ＯＮ／ＯＦＦ履歴データとを、管理物件ごとに生成する電源ＯＮ／ＯＦＦ履歴データ生成部と、制御データ書き換え処理を実行する対象の制御装置が設けられた管理物件を対象管理物件として設定し、制御データ書き換え処理が実行される実行予定日時を設定する制御データ書き換え設定部と、対象管理物件ごとの制御電源ＯＮ／ＯＦＦ履歴データおよび監視電源ＯＮ／ＯＦＦ履歴データに基づき、実行予定日時以降であり、かつ制御装置電源および監視装置電源がともにＯＮである特定日時帯に含まれる日時が、制御データ書き換え処理が実行される実行日時となるように、実行日時を対象管理物件ごとに重複させないように決定する制御データ書き換え日時決定部と、対象管理物件ごとの実行日時に従って制御データ書き換え処理を実行する制御データ書き換え処理部と、を有するものである。
【発明の効果】
【００１０】
本発明によれば、管理物件に対しての制御データの書き換えの効率化を実現する制御データ書き換えシステムを得ることができる。
【図面の簡単な説明】
【００１１】
【図１】本発明の実施の形態１における制御データ書き換えシステムを示す構成図である。
【図２】図１の電源ＯＮ／ＯＦＦ履歴データ生成部によって生成される管理物件Ａの制御電源ＯＮ／ＯＦＦ履歴データの一例を示す説明図である。
【図３】図１の電源ＯＮ／ＯＦＦ履歴データ生成部によって生成される管理物件Ｂの制御電源ＯＮ／ＯＦＦ履歴データの一例を示す説明図である。
【図４】図１の電源ＯＮ／ＯＦＦ履歴データ生成部によって生成される管理物件Ｃの制御電源ＯＮ／ＯＦＦ履歴データの一例を示す説明図である。
【発明を実施するための形態】
【００１２】
以下、本発明による制御データ書き換えシステムを、好適な実施の形態にしたがって図面を用いて説明する。なお、図面の説明においては、同一部分または相当部分には同一符号を付し、重複する説明を省略する。また、実施の形態では、エレベータに対して本発明を適用する場合を例示する。
【００１３】
実施の形態１．
図１は、本発明の実施の形態１における制御データ書き換えシステムを示す構成図である。なお、図１では、管理物件Ａ〜Ｃの３件分の管理物件が制御データ書き換えシステム内に存在する場合を例示している。
【００１４】
図１において、制御データ書き換えシステムは、管理物件Ａに設けられた制御装置１および監視装置２と、管理物件Ｂに設けられた制御装置１および監視装置２と、管理物件Ｃに設けられた制御装置１および監視装置２と、監視センタ装置３と、制御データ書き換え装置４とを備える。このように、制御装置１および監視装置２は、管理物件Ａ〜Ｃごとに設けられている。
【００１５】
監視装置２は、制御装置１と通信可能に接続され、さらに、監視センタ装置３と通信可能に接続されている。制御データ書き換え装置４は、監視センタ装置３と通信可能に接続され、さらに、監視装置２と通信可能に接続されている。なお、装置間を通信可能に接続するには、有線回線または無線回線を用いればよい。
【００１６】
制御装置１は、機器としてのエレベータの動作を制御するための制御データを記憶する記憶装置（図示せず）を有する。ここで、制御データは、制御装置１がエレベータの動作を制御する際に用いるデータであり、制御データとしては、例えば、制御用プログラム、制御用パラメータ等が挙げられる。
【００１７】
制御装置１は、記憶装置に記憶する制御データに従ってエレベータの動作を制御する。具体的には、制御装置１は、例えば、エレベータの巻上機の動作、エレベータの乗りかごのドアの動作等をエレベータの動作として制御する。
【００１８】
制御装置１は、制御装置電源の電源状態を示す制御電源信号として、２種類の電源信号を監視装置２に出力する。制御装置１は、制御電源信号として、制御装置電源がＯＮからＯＦＦに切り替わったときに制御停電信号を出力し、制御装置電源がＯＦＦからＯＮに切り替わったときに制御復電信号を出力する。
【００１９】
監視装置２は、機器としてのエレベータの状態を監視し、監視結果を監視センタ装置３に出力する。具体的には、監視装置２による監視対象のエレベータに異常が発生すると、そのエレベータの動作を制御する制御装置１から異常検出信号が出力される。監視装置２は、制御装置１から出力された異常検出信号を取得し、その異常検出信号を監視センタ装置３に出力する。
【００２０】
監視装置２は、監視装置電源の電源状態を示す監視電源信号として、２種類の電源信号を監視センタ装置３に出力する。監視装置２は、監視電源信号として、監視装置電源がＯＮからＯＦＦに切り替わったときに監視停電信号を出力し、監視装置電源がＯＦＦからＯＮに切り替わったときに監視復電信号を出力する。また、監視装置２は、制御装置１から取得した制御電源信号を監視センタ装置３に出力する。
【００２１】
監視センタ装置３は、各管理物件のエレベータを統括監視する監視センタに設けられている。監視センタは、一般的には、各管理物件Ａ〜Ｃに対して遠隔に設置されている。監視センタ装置３は、監視装置２から異常検出信号を取得すると、その異常検出信号に対応する管理物件のエレベータに異常が発生したことを報知する。
【００２２】
監視センタ装置３は、監視装置２から取得した制御電源信号を制御データ書き換え装置４に出力する。同様に、監視センタ装置３は、監視装置２から取得した監視電源信号を制御データ書き換え装置４に出力する。
【００２３】
制御データ書き換え装置４は、記憶装置４１と、電源履歴データ生成部４２と、電源ＯＮ／ＯＦＦ履歴データ生成部４３と、制御データ書き換え設定部４４と、制御データ書き換え日時決定部４５と、制御データ書き換え処理部４６とを有する。制御データ書き換え装置４は、例えば、メモリに記憶されたプログラムを実行するＣＰＵと、システムＬＳＩ等の処理回路とによって実現される。なお、制御データ書き換え装置４は、監視センタとは別の施設に設けられていてもよいし、監視センタ内に設けられていてもよい。
【００２４】
電源履歴データ生成部４２は、制御装置１から出力された制御電源信号と、監視装置２から出力された監視電源信号とを取得する。電源履歴データ生成部４２は、取得した制御電源信号および監視電源信号のそれぞれを、制御電源信号および監視電源信号のそれぞれを取得した取得日時と関連付けて電源履歴データとして管理物件Ａ〜Ｃごとに生成する。
【００２５】
具体的には、電源履歴データ生成部４２は、各管理物件Ａ〜Ｃの制御装置１から出力される制御電源信号と、各管理物件Ａ〜Ｃの監視装置２から出力される監視電源信号とを取得する。また、電源履歴データ生成部４２は、管理物件Ａ〜Ｃごとに電源履歴データを記憶装置４１に記憶する。
【００２６】
電源ＯＮ／ＯＦＦ履歴データ生成部４３は、記憶装置４１に記憶されている管理物件Ａ〜Ｃごとの電源履歴データに基づき、制御装置電源に対応する制御電源ＯＮ／ＯＦＦ履歴データと、監視装置電源に対応する監視電源ＯＮ／ＯＦＦ履歴データとを、管理物件Ａ〜Ｃごとに生成する。また、電源ＯＮ／ＯＦＦ履歴データ生成部４３は、生成した管理物件Ａ〜Ｃごとの制御電源ＯＮ／ＯＦＦ履歴データおよび監視電源ＯＮ／ＯＦＦ履歴データを記憶装置４１に記憶する。
【００２７】
ここで、管理物件Ａ〜Ｃごとの、制御電源ＯＮ／ＯＦＦ履歴データおよび監視電源ＯＮ／ＯＦＦ履歴データについて、図２〜図４を参照しながら説明する。
【００２８】
図２は、図１の電源ＯＮ／ＯＦＦ履歴データ生成部４３によって生成される管理物件Ａの制御電源ＯＮ／ＯＦＦ履歴データの一例を示す説明図である。図３は、図１の電源ＯＮ／ＯＦＦ履歴データ生成部４３によって生成される管理物件Ｂの制御電源ＯＮ／ＯＦＦ履歴データの一例を示す説明図である。図４は、図１の電源ＯＮ／ＯＦＦ履歴データ生成部４３によって生成される管理物件Ｃの制御電源ＯＮ／ＯＦＦ履歴データの一例を示す説明図である。
【００２９】
なお、図２〜図４において、網掛けのない部分の日時帯は、制御装置電源がＯＮである制御電源ＯＮ日時帯に相当し、網掛け部分の日時帯は、制御装置電源がＯＦＦである制御電源ＯＦＦ日時帯に相当する。
【００３０】
ここで、前年度の「１月１日０時」から「１２月３１日２４時」までの期間において、電源履歴データ生成部４２の動作として、以下のようなケースを考える。
【００３１】
＜管理物件Ａ＞
・電源履歴データ生成部４２は、前年度において、制御停電信号および制御復電信号を取得していない。
＜管理物件Ｂ＞
・電源履歴データ生成部４２は、前年度の「８月１４日２２時」に制御停電信号を取得し、「８月１５日６時」に制御復電信号を取得する。
・電源履歴データ生成部４２は、前年度の「８月１５日２２時」に制御停電信号を取得し、「８月１６日６時」に制御復電信号を取得する。
＜管理物件Ｃ＞
・電源履歴データ生成部４２は、前年度の「８月１４日１２時」に制御停電信号を取得し、「８月１６日１２時」に制御復電信号を取得する。
【００３２】
上記のケースの場合、電源ＯＮ／ＯＦＦ履歴データ生成部４３は、管理物件Ａについては、図２に示す制御電源ＯＮ／ＯＦＦ履歴データを生成する。また、電源ＯＮ／ＯＦＦ履歴データ生成部４３は、管理物件Ｂについては、「８月１４日２２時」から「８月１５日６時」までの日時帯、および「８月１５日２２時」から「８月１６日６時」までの日時帯を制御電源ＯＦＦ日時帯とし、それら以外の日時帯を制御電源ＯＮ日時帯とし、図３に示す電源ＯＮ／ＯＦＦ履歴データを生成する。さらに、電源ＯＮ／ＯＦＦ履歴データ生成部４３は、管理物件Ｃについては、「８月１４日１２時」から「８月１６日１２時」までの日時帯を制御電源ＯＦＦ日時帯とし、それ以外の日時帯を制御電源ＯＮ日時帯とし、図４に示す電源ＯＮ／ＯＦＦ履歴データを生成する。
【００３３】
なお、電源ＯＮ／ＯＦＦ履歴データ生成部４３は、上記で説明した制御電源ＯＮ／ＯＦＦ履歴データの生成と同様の処理で、監視電源ＯＮ／ＯＦＦ履歴データを管理物件Ａ〜Ｃごとに生成する。
【００３４】
また、電源ＯＮ／ＯＦＦ履歴データ生成部４３は、電源履歴データ生成部４２が最新の電源履歴データを記憶装置４１に記憶する度に、その最新の電源履歴データを用いて、制御電源ＯＮ／ＯＦＦ履歴データおよび監視電源ＯＮ／ＯＦＦ履歴データを更新する。
【００３５】
このように、電源ＯＮ／ＯＦＦ履歴データ生成部４３は、記憶装置４１に記憶されている管理物件Ａ〜Ｃごとの電源履歴データに基づき、制御装置電源に対応する制御電源ＯＮ／ＯＦＦ履歴データと、監視装置電源に対応する監視電源ＯＮ／ＯＦＦ履歴データとを、管理物件Ａ〜Ｃごとに生成する。
【００３６】
図１の説明に戻り、制御データ書き換え設定部４４は、制御装置１の制御データを書き換える制御データ書き換え処理を実行する対象の制御装置１が設けられた管理物件を対象管理物件として設定する。具体的には、制御データ書き換え設定部４４は、外部からの指令によって、対象管理物件を設定する。例えば、制御装置１に対して制御データ書き換え処理を実行することを所望する対象管理物件を、オペレータが端末装置（図示せず）等を介して入力すれば、制御データ書き換え設定部４４は、その対象管理物件を設定するように構成されている。
【００３７】
また、制御データ書き換え設定部４４は、制御データ書き換え処理が実行される実行予定日時を設定する。例えば、制御データ書き換え設定部４４は、オペレータが端末装置を介して対象管理物件を入力した日時を実行予定日時として設定するように構成されていてもよいし、オペレータが端末装置を介して指定した日時を実行予定日時として設定するように構成されていてもよい。
【００３８】
制御データ書き換え日時決定部４５は、対象管理物件ごとの制御電源ＯＮ／ＯＦＦ履歴データおよび監視電源ＯＮ／ＯＦＦ履歴データに基づき、制御データ書き換え処理が実行される実行日時を対象管理物件ごとに決定する。この場合、制御データ書き換え日時決定部４５は、対象管理物件ごとの実行日時を重複させないように決定する。
【００３９】
より詳しく説明すると、制御データ書き換え日時決定部４５は、制御データ書き換え設定部４４によって設定された実行予定日時以降であり、かつ制御装置電源および監視装置電源がともにＯＮである日時帯に含まれる日時が実行日時となるように、実行日時を対象管理物件ごとに重複させないように決定する。なお、以下では、制御装置電源および監視装置電源がともにＯＮである日時帯を「特定日時帯」と称す。
【００４０】
具体的には、制御データ書き換え日時決定部４５は、制御電源ＯＮ／ＯＦＦ履歴データおよび監視電源ＯＮ／ＯＦＦ履歴データにおいて、特定日時帯に実行予定日時が含まれているときには、その実行予定日時を実行日時とする。
【００４１】
一方、制御データ書き換え日時決定部４５は、特定日時帯に実行予定日時が含まれていないときには、実行予定日時よりも後であり、かつ特定日時帯に含まれる日時を実行日時とする。特に、実行予定日時よりも後であり、かつ特定日時帯に含まれる日時であって実行予定日時に最も近い日時を実行日時とするように構成すれば、素早い制御データ書き換え処理の実現が可能となる。
【００４２】
なお、制御電源ＯＮ／ＯＦＦ履歴データおよび監視電源ＯＮ／ＯＦＦ履歴データにおいて、制御データ書き換え設定部４４によって設定された実行予定日以降のＯＮ／ＯＦＦ履歴データが存在しない場合には、現時点までに得られているＯＮ／ＯＦＦ履歴データを用いて、実行予定日以降のＯＮ／ＯＦＦ履歴データを予測し、その予測結果から実行日時を決定するように構成してもよい。
【００４３】
制御データ書き換え処理部４６は、制御データ書き換え日時決定部４５によって決定された対象管理物件ごとの実行日時に従って、制御データ書き換え処理を実行する。
【００４４】
具体的には、制御データ書き換え処理部４６は、実行日時の早い対象管理物件から順番に、新しい制御データおよび書き換え指令信号を、監視装置２に出力する。その監視装置２は、その新しい制御データおよび書き換え指令信号を制御装置１に出力する。
【００４５】
制御装置１は、新しい制御データおよび書き換え指令信号が入力されれば、その書き換え指令信号に従って現時点で記憶装置に記憶されている制御データをその新しい制御データに書き換える。この場合、制御装置１は、新しい制御データを用いて、エレベータの動作を制御する。
【００４６】
次に、制御データ書き換え日時決定部４５および制御データ書き換え処理部４６の動作の一例について、先の図２〜図４を参照しながらさらに説明する。
【００４７】
ここでは、電源ＯＮ／ＯＦＦ履歴データ生成部４３は、先の図２〜図４に示す制御電源ＯＮ／ＯＦＦ履歴データを生成し、さらに、先の図２〜図４に示す制御電源ＯＮ／ＯＦＦ履歴データと同じ監視電源ＯＮ／ＯＦＦ履歴データを生成したものとする。また、制御データ書き換え設定部４４によって設定された対象管理物件が管理物件Ａ〜Ｃであり、制御データ書き換え設定部４４によって設定された実行予定日時が今年度の「８月１５日３時」であるものとする。
【００４８】
上記の場合、制御データ書き換え日時決定部４５は、管理物件Ａに対応する制御電源ＯＮ／ＯＦＦ履歴データおよび監視電源ＯＮ／ＯＦＦ履歴データ（図２参照）に基づき、管理物件Ａの実行日時を決定する。図２から分かるように、管理物件Ａに対応する制御電源ＯＮ／ＯＦＦ履歴データおよび監視電源ＯＮ／ＯＦＦ履歴データにおいて、実行予定日時である「８月１５日３時」は、特定日時帯に含まれている。この場合、制御データ書き換え日時決定部４５は、管理物件Ａの実行日時を「８月１５日３時」とする。
【００４９】
また、制御データ書き換え日時決定部４５は、管理物件Ｂに対応する制御電源ＯＮ／ＯＦＦ履歴データおよび監視電源ＯＮ／ＯＦＦ履歴データ（図３参照）に基づき、管理物件Ｂの実行日時を決定する。図３から分かるように、管理物件Ｂに対応する制御電源ＯＮ／ＯＦＦ履歴データおよび監視電源ＯＮ／ＯＦＦ履歴データにおいて、実行予定日時である「８月１５日３時」は、特定日時帯に含まれていない。この場合、制御データ書き換え日時決定部４５は、管理物件Ｂの実行日時を「８月１５日６時」とする。この「８月１５日６時」は、実行予定日時よりも後であり、かつ特定日時帯に含まれる日時である。
【００５０】
さらに、制御データ書き換え日時決定部４５は、管理物件Ｃに対応する制御電源ＯＮ／ＯＦＦ履歴データおよび監視電源ＯＮ／ＯＦＦ履歴データ（図４参照）に基づき、管理物件Ｃの実行日時を決定する。図３から分かるように、管理物件Ｃに対応する制御電源ＯＮ／ＯＦＦ履歴データおよび監視電源ＯＮ／ＯＦＦ履歴データにおいて、実行予定日時である「８月１５日３時」は、特定日時帯に含まれていない。この場合、制御データ書き換え日時決定部４５は、管理物件Ｂの実行日時を「８月１６日１２時」とする。この「８月１６日１２時」は、実行予定日時よりも後であり、かつ特定日時帯に含まれる日時である。
【００５１】
このように、制御データ書き換え日時決定部４５によって決定された対象管理物件ごとの実行日時に従って、制御データ書き換え処理部４６は、制御データ書き換え処理を実行する。すなわち、制御データ書き換え処理部４６は、「８月１５日３時」に管理物件Ａ、「８月１５日６時」に管理物件Ｂ、「８月１６日１２時」に管理物件Ｃという順番で、制御データ書き換え処理を実行する。
【００５２】
次に、制御データ書き換え日時決定部４５および制御データ書き換え処理部４６の動作の別例について、上記と同様に、先の図２〜図４を参照しながらさらに説明する。
【００５３】
ここでは、電源ＯＮ／ＯＦＦ履歴データ生成部４３は、先の図２〜図４に示す制御電源ＯＮ／ＯＦＦ履歴データを生成し、さらに、先の図２〜図４に示す制御電源ＯＮ／ＯＦＦ履歴データと同じ監視電源ＯＮ／ＯＦＦ履歴データを生成したものとする。また、制御データ書き換え設定部４４によって設定された対象管理物件が管理物件Ｂ、Ｃであり、制御データ書き換え設定部４４によって設定された実行予定日時が今年度の「８月１６日１５時」であるものとする。
【００５４】
上記の場合、制御データ書き換え日時決定部４５は、管理物件Ｂに対応する制御電源ＯＮ／ＯＦＦ履歴データおよび監視電源ＯＮ／ＯＦＦ履歴データ（図３参照）に基づき、管理物件Ｂの実行日時を決定する。図３から分かるように、管理物件Ｂに対応する制御電源ＯＮ／ＯＦＦ履歴データおよび監視電源ＯＮ／ＯＦＦ履歴データにおいて、実行予定日時である「８月１６日１５時」は、特定日時帯に含まれている。
【００５５】
また、制御データ書き換え日時決定部４５は、管理物件Ｃに対応する制御電源ＯＮ／ＯＦＦ履歴データおよび監視電源ＯＮ／ＯＦＦ履歴データ（図４参照）に基づき、管理物件Ｃの実行日時を決定する。図４から分かるように、管理物件Ｃに対応する制御電源ＯＮ／ＯＦＦ履歴データおよび監視電源ＯＮ／ＯＦＦ履歴データにおいて、実行予定日時である「８月１６日１５時」は、特定日時帯に含まれている。
【００５６】
上記のように、対象管理物件のそれぞれにおいて、実行予定日時が特定日時帯に含まれる場合には、対象管理物件のそれぞれで実行日時が重複しないように調整される。例えば、制御データ書き換え日時決定部４５は、管理物件Ｂの実行日時を「８月１６日１５時」とし、管理物件Ｃの実行日時を、「８月１６日１５時」から任意の時間だけずらして、例えば「８月１６日１６時」とする。
【００５７】
上記の場合、制御データ書き換え処理部４６は、「８月１６日１５時」に管理物件Ｂ、「８月１６日１６時」に管理物件Ｃという順番で、制御データ書き換え処理を実行する。なお、管理物件Ａにおいては、対象管理物件として設定されていないので、制御データ書き換え処理が実行されない。
【００５８】
なお、本実施の形態１では、対象管理物件ごとの実行日時に従って制御データ書き換え処理が実行される際、その実行日時の時点で制御装置電源および監視装置電源の両方がＯＮになっていることを確認し、制御装置電源または監視装置電源がＯＦＦになっている対象管理物件に対する制御データ書き換え処理の実行を中止するように構成してもよい。
【００５９】
この場合、制御データ書き換え処理部４６は、制御データ書き換え処理を実行する際、制御装置電源または監視装置電源がＯＦＦになっている対象管理物件の制御装置に対しては、制御データ書き換え処理を実行することを中止する。また、制御装置電源および監視装置電源のそれぞれがＯＮであるかＯＦＦであるかは、制御データ書き換え装置４に入力される制御電源信号および監視電源信号から確認することが可能である。
【００６０】
なお、本実施の形態１では、制御データ書き換えシステムにおいて、監視装置２から機器としてのエレベータの監視結果を取得する監視センタ装置３を備え、電源履歴データ生成部４２は、制御装置１から監視装置２および監視センタ装置３を介して制御電源信号を取得し、監視装置２から監視センタ装置３を介して監視電源信号を取得するように構成する場合を例示した。しかしながら、制御データ書き換えシステムにおいて、監視装置２は、監視センタ装置３を介さずに、制御電源信号および監視電源信号を制御データ書き換え装置４に直接出力するように構成してもよい。
【００６１】
以上、本実施の形態１によれば、対象管理物件ごとの制御電源ＯＮ／ＯＦＦ履歴データおよび監視電源ＯＮ／ＯＦＦ履歴データに基づき、実行予定日時以降であり、かつ制御装置電源および監視装置電源がともにＯＮである特定日時帯に含まれる日時が、実行日時となるように、実行日時を対象管理物件ごとに重複させないように決定し、対象管理物件ごとの実行日時に従って制御データ書き換え処理を実行するように構成されている。
【００６２】
このように構成することで、過去に電源がＯＦＦであった日時帯を外して、制御データ書き換え処理を実行することができるので、無駄な電話料金を削減し、電源がＯＦＦであるときに制御データ書き換え処理が実行されるようなケースを減少させることができる。また、複数の管理物件に対しての制御データの書き換えを行う場合、すべての物件の制御データの書き換えが完了する時間を短縮することができる。このように、管理物件に対しての制御データの書き換えの効率化を実現することが可能となる。
【００６３】
なお、本実施の形態１では、エレベータに対して本発明を適用する場合を例示したが、これに限定されず、機器を制御する制御装置の制御データが遠隔から書き換え可能な形態であれば、エレベータ以外のどのような機器に対しても本発明を適用することができる。
【符号の説明】
【００６４】
１  制御装置、２  監視装置、３  監視センタ装置、４  制御データ書き換え装置、４１  記憶装置、４２  電源履歴データ生成部、４３  電源ＯＮ／ＯＦＦ履歴データ生成部、４４  制御データ書き換え設定部、４５  制御データ書き換え日時決定部、４６  制御データ書き換え処理部。
【図１】
0006463294.tif 000002
【図２】
0006463294.tif 000003
【図３】
0006463294.tif 000004
【図４】
0006463294.tif 000005